(57)【要約】【課題】  ＦＰＣの接続の際の作業性を改善できるＦＰＣ用コネクタを提供すること。【解決手段】  ＦＰＣ用コネクタ２０は、前端３２および上側３３が開放しているＦＰＣ受入空洞３１が形成された絶縁ハウジング３０と、ＦＰＣ受入空洞３１の上側開放部３５を開閉できるように組み付けられたアクチュエータ５０とを備えている。  ＦＰＣ受入空洞３１の前端３２の開放部３６の側方外側に、前端３２に略直角の方向で突出して、ＦＰＣ１０の縁部上面１３１に係合する抑止突片６１が設けられている。【選択図】  図１
2005135593.tif 000002
【特許請求の範囲】
【請求項１】
前端（３２）および上側（３３）が開放しているＦＰＣ受入空洞（３１）が形成された絶縁ハウジング（３０）と、前記ＦＰＣ受入空洞（３１）の上側開放部（３５）を開閉できるように組み付けられたアクチュエータ（５０）とを備えているＦＰＣ用コネクタ（２０）において、
前記ＦＰＣ受入空洞（３１）の前端（３２）の開放部（３６）の側方外側に、前端（３２）に略直角の方向で突出して、ＦＰＣ（１０）の縁部上面（１３１）に係合する抑止突片（６１）が設けられていることを特徴とするＦＰＣ用コネクタ。
【請求項２】
前記抑止突片（６１）は、ＦＰＣ受入空洞（３１）の前端（３２）の開放部（３６）の両側に設けられている請求項１に記載のＦＰＣ用コネクタ。
【請求項３】
前記抑止突片（６１）は、ＦＰＣ（１０）の側方に張り出している係合用縁部（１３）の上面（１３１）に係合する請求項１または２に記載のＦＰＣ用コネクタ。
【請求項４】
前記抑止突片（６１）は、絶縁ハウジング（３０）に装着された金属製の抑止金具（６０）から延出している請求項１〜３のいずれかに記載のＦＰＣ用コネクタ。
【請求項５】
前記抑止突片（６１）は、絶縁ハウジング（３０）の前端（３２）に、絶縁ハウジング（３０）と一体で設けられている請求項１〜３のいずれかに記載のＦＰＣ用コネクタ。
【請求項６】
ＦＰＣ用コネクタ（２０）に形成されたＦＰＣ受入空洞（３１）にＦＰＣ（１０）の接続端部（１１）を配置して、ＦＰＣ受入空洞（３１）に設けられたアクチュエータ（５０）を介して、前記接続端部（１１）の導電パッドとＦＰＣ用コネクタ（２０）側の導電端子（４０）のコンタクトを電気的に係合させるＦＰＣ用コネクタ（２０）とＦＰＣ（１０）の接続構造において、
前記ＦＰＣ（１０）の接続端部（１１）に連続する延長部（１２）の上面（１３１）に、前記ＦＰＣ用コネクタ（２０）の前端（３２）の、前記ＦＰＣ受入空洞（３１）の開放部（３６）の側方外側から、前端（３２）と略直角の方向で突出している抑止突片（６１）を係合させていることを特徴とするＦＰＣ用コネクタとＦＰＣの接続構造。
【請求項７】
前記抑止突片（６１）は、前記ＦＰＣ受入空洞（３１）の前端開放部（３６）の両側に設けられ、前記ＦＰＣ（１０）の延長部（１２）の両側上面（１３１）に係合している請求項６に記載のＦＰＣ用コネクタとＦＰＣの接続構造。
【請求項８】
前記ＦＰＣ（１０）の延長部（１２）は、前記接続端部（１１）に比べて幅広とされ、係合用縁部（１３）が側方に張り出している請求項６または７に記載のＦＰＣ用コネクタとＦＰＣの接続構造。
【発明の詳細な説明】
【技術分野】
【０００１】
この発明は、ＦＰＣ、ＦＦＣなどと通称されている平型柔軟ケーブル（これらを総称して、この明細書では単に「ＦＰＣ」と言う）を接続するためのＦＰＣ用コネクタおよびＦＰＣ用コネクタとＦＰＣの接続構造に関する。
【背景技術】
【０００２】
周知のとおり、ＦＰＣ用コネクタには種々の構造のものがある。ここでは、それらのうち、前端および上側が開放しているＦＰＣ受入空洞が形成された絶縁ハウジングと、ＦＰＣ受入空洞の上側開放部を開閉できるように組み付けられたアクチュエータとを備えているＦＰＣ用コネクタを対象としている。前記アクチュエータは、ＦＰＣ受入空洞の開閉のために、回動乃至は姿勢変化が可能に組み付けられている。アクチュエータを開の状態として、ＦＰＣ受入空洞にＦＰＣの接続端部を配置した後、アクチュエータを閉の状態にすると、アクチュエータによってＦＰＣが付勢され、ＦＰＣ側の接点パッドと絶縁ハウジングに装着されている導電端子のコンタクトが電気的に係合するようになっている。
【０００３】
このような形式のＦＰＣ用コネクタの場合、ＦＰＣを接続した状態で、アクチュエータに、ＦＰＣの引き回しを原因とする外力が作用して、アクチュエータを開の方向へ回動乃至は姿勢変化させ、接点パッドとコンタクトの電気的係合を不安定にさせる傾向があった。
【０００４】
そこで、従来のＦＰＣ用コネクタでは、ＦＰＣ受入空洞の入り口付近に、ＦＰＣの接続端部の縁部上面に係合できるようにした突片を、絶縁ハウジングから張り出すように設けたり、絶縁ハウジングに装着した金具から張り出すように設け（特許文献１〜３参照）ていた。ＦＰＣの引き回しによって、ＦＰＣがアクチュエータに接近する方向へ移動するのをこれらの突片で制限していた。
【０００５】
【特許文献１】特許第３０２９９８５号公報（図１、２）
【特許文献２】特開２００３−４５５２７号公報（図３）
【特許文献３】特開平１０−１８９１７４号公報（図１）
【発明の開示】
【発明が解決しようとする課題】
【０００６】
上記のように、ＦＰＣがアクチュエータに接近する方向へ移動するのを制限する突片を、ＦＰＣ受入空洞の入り口付近に設けたＦＰＣ用コネクタの場合、ＦＰＣを接続する際の作業性が損なわれる問題があった。ＦＰＣ受入空洞の入り口付近で突片が側方からＦＰＣの上方に突出してきているために、ＦＰＣの接続端部は、ＦＰＣ用コネクタの前端（垂直面）に対して略直角の状態（略水平の状態）として、前端の開放部を通して平行移動によってＦＰＣ受入空洞に挿入しなければならないためである。ＦＰＣの接続端部には、剛性を与えるために補強板が通常裏打ちされており、ＦＰＣ受入空洞の上側開放部から、前記突片を乗り越えるようにしてＦＰＣ受入空洞へ接続端部を配置することはできないのが一般的であった。
【０００７】
この発明は、以上のような問題点に鑑みて成されたもので、ＦＰＣの接続の際の作業性を改善できるＦＰＣ用コネクタを提供することを目的としている。
また、ＦＰＣの接続の際の作業性を改善できるＦＰＣ用コネクタとＦＰＣの接続構造を提供することを目的としている。
【課題を解決するための手段】
【０００８】
この発明のＦＰＣ用コネクタは、前端および上側が開放しているＦＰＣ受入空洞が形成された絶縁ハウジングと、前記ＦＰＣ受入空洞の上側開放部を開閉できるように組み付けられたアクチュエータとを備えているＦＰＣ用コネクタにおいて、
前記ＦＰＣ受入空洞の前端の開放部の側方外側に、前端に略直角の方向で突出して、ＦＰＣの縁部上面に係合する抑止突片が設けられていることを特徴としている。
【０００９】
また、この発明のＦＰＣ用コネクタとＦＰＣの接続構造は、ＦＰＣ用コネクタに形成されたＦＰＣ受入空洞にＦＰＣの接続端部を配置して、ＦＰＣ受入空洞に設けられたアクチュエータを介して、前記接続端部の導電パッドとＦＰＣ用コネクタ側の導電端子のコンタクトを電気的に係合させるＦＰＣ用コネクタとＦＰＣの接続構造において、
前記ＦＰＣの接続端部に連続する延長部の上面に、前記ＦＰＣ用コネクタの前端の、前記ＦＰＣ受入空洞の開放部の側方外側から、前端と略直角の方向で突出している抑止突片を係合させていることを特徴としている。
【００１０】
以下に説明するこの発明の実施の形態では、前記抑止突片は、ＦＰＣ受入空洞の前端の開放部の両側に設けられているが、片側のみに設けるようにすることもできる。ＦＰＣは、ＦＰＣ受入空洞に配置される接続端部に延長部が連続する。この延長部が接続端部に比べて幅広とされ、係合用縁部が側方に張り出している。前記抑止突片は、この側方に張り出した係合用縁部の上面に係合する。
抑止突片は、絶縁ハウジングに装着した金属製の抑止金具から延出させているが、絶縁ハウジングに一体で設けて突出するようにすることもできる。
【発明の効果】
【００１１】
この発明によれば、抑止突片をＦＰＣ受入空洞の前端の開放部の側方外側から、前端に略直角の方向で突出するように設けて、ＦＰＣ受入空洞の内部には突出しないようにしたので、ＦＰＣの接続に際しては、接続端部をＦＰＣ受入空洞の上側開放部を通して配置できるようになり、接続の作業性を向上することができる。また、ＦＰＣは挿入ではなく、ＦＰＣ受入空洞の上から下へと移動させて配置することとなるため、抑止突片とＦＰＣの縁部上面を適切に係合させることができ、しかも、接続端部はＦＰＣ受入空洞に適切に配置されることとなって、ＦＰＣの挿入が不十分なために接続不良を起こすなどの事態を避けることができる。
【発明を実施するための最良の形態】
【００１２】
以下、この発明の実施の形態を添付の図を参照して説明する。
【００１３】
図１〜図６は、実施形態のＦＰＣ用コネクタ２０にＦＰＣ１０を接続した状態を示している。ＦＰＣ１０を接続する前のＦＰＣ用コネクタ２０が図８に示してある。
【００１４】
ＦＰＣ用コネクタ２０は、絶縁ハウジング３０とアクチュエータ５０とを備えている。両部材とも、絶縁性のプラスチックで図示の如くの形状に成形されたものである。
【００１５】
絶縁ハウジング３０は、略方形の板状の外形を有している。ＦＰＣ受入空洞３１が前端３２寄りに形成されて、前端３２と上側３３で外部に連通するように開放している。公知のＦＰＣ用コネクタと同様に、複数の導電端子４０が絶縁ハウジング３０に並列状態で装着され、そのコンタクト片４２（図７）がＦＰＣ受入空洞３１に片持ち梁状となって臨み、ＦＰＣ受入空洞３１に受け入れたＦＰＣ１０の導電パッド（図示せず）と対向して電気的な係合ができるようにされている。導電端子４０の半田テイル４１が、図５に表れているように、絶縁ハウジング３０の底面３４内に並列しており、取付基板８０に表面半田付けができるようになっている。
【００１６】
アクチュエータ５０は、図のように、細長い板状の形状をしており、ＦＰＣ受入空洞３１の上側開放部３５を塞ぐように設置されている。このアクチュエータ５０は、図８に示した矢示５１の方向で、回動乃至は姿勢変化することが可能に組み付けられている。各図に示しているようにＦＰＣ受入空洞３１の上側開放部３５を閉の状態としたり、図７に示すように、回動乃至は姿勢変化によって上側開放部３５を開の状態にできるようになっている。
【００１７】
ＦＰＣ受入空洞３１の前端開放部３６は、アクチュエータ５０の開閉状態に拘わらず常時開放しており、この前端開放部３６を通して、ＦＰＣ受入空洞３１から前端３２の外側前方に、ＦＰＣ１０が延びることができるようになっている。
【００１８】
絶縁ハウジング３０の前端３２で開放している前端開放部３６の両側外方で、抑止突片６１が前端３２に略垂直となって前方に突出している。この抑止突片６１は、図６に表れているように、金属板を打ち抜いて成形した抑止金具６０の前部に延出するように設けられている。抑止金具６０の後部の装着片６２を絶縁ハウジング３０の係止孔３７に挿入、係止させて、抑止金具６０が絶縁ハウジング３０に取り付けられている。抑止突片６１が絶縁ハウジング３２の前端３２から前方に向かって突出するようにしてある。
【００１９】
抑止金具６０の中間部は断面Ｌ字形に成形されて半田テイル６３を構成しており、絶縁ハウジング３０の底面３４内に配置され、導電端子４０の半田テイル４１と共に半田フィレット７０により取付基板８０に表面半田付けができるようになっている。したがって、抑止金具６０は、取付補強金具としての機能も有している。
【００２０】
図１〜図７に示されているように、上記のＦＰＣ用コネクタ２０と接続するＦＰＣ１０は、前記ＦＰＣ受入空洞３１に配置される接続端部１１に延長部１２が連続しており、延長部１２がＦＰＣ受入空洞３１の外部に延びるようにしている。ただし、図１〜７では図示の都合上、延長部１２が途中でカットされている。延長部１２は、接続端部１１に比べて幅広になっており、両側に係合用縁部１３を形成している。
【００２１】
ＦＰＣ１０の接続端部１１を、絶縁ハウジング３０のＦＰＣ受入空洞３１に正しく配置すると、延長部１２の両側に形成されて側方に張り出している係合用縁部１３が、前記前端開放部３６の外側前方に隣接するように位置して、係合用縁部１３の上面１３１に前記抑止突片６１が係合するようになっている。
【００２２】
ＦＰＣ１０をＦＰＣ用コネクタ２０に接続する時は、図７に示すように、アクチュエータ５０を開の状態として、ＦＰＣ受入空洞３１の上側開放部３５を開放して行う。開放したＦＰＣ受入空洞３１には、導電端子４０のコンタクトが片持ち梁状となって臨んでいるだけで、他のものは突出していないので、ＦＰＣ１０の接続端部１１を上方から上側開放部３５を通してＦＰＣ受入空洞３１内に簡単に配置することができる。接続端部１１をＦＰＣ受入空洞３１に配置すると、延長部１２の係合用縁部１３が、絶縁ハウジング３０の前端３２の前方に隣接して位置するので、係合用縁部１３を抑止突片６１の下側にくぐらせるようにして上面１３１と抑止突片６１を係合させ、次いで、アクチュエータ５０を閉の状態に回動乃至は姿勢変化させて接続を完了することができる。ＦＰＣ１０の延長部１２には、補強板のような剛性を与える部材が裏打ちされていないので柔軟性があり、係合用縁部１３と抑止突片６１の係合も簡単に行うことができる。このように、ＦＰＣ１０の接続の作業性が改善されるので、接続作業を能率よく行うことができる。
【００２３】
前記の通り、ＦＰＣ１０の接続はＦＰＣ用コネクタ２０の上方から行えるので、ＦＰＣ用コネクタ２０の前方には、ＦＰＣ１０を前端開放部３６を通して挿入する場合に必要であった接続のためのスペースを必要としない。したがって、取付基板の高密度実装に資するところが大きい。
【００２４】
また、ＦＰＣ１０の接続端部１１をＦＰＣ受入空洞３１に適切に配置すると、延長部１２の係合用縁部１３が前端３２の前方に略隙間なく隣接する関係にある。したがって、接続端部１１をＦＰＣ受入空洞３１に不適切に配置した場合には、延長部１２の係合用縁部１３が前端３２の前方に正しく隣接しないことになり、接続の失敗を未然に防止することもできる。この点においても、接続の作業性の向上に寄与している。
【００２５】
ＦＰＣ１０が接続された後、ＦＰＣ１０の延長部１２をＦＰＣ用コネクタ２０の上方に引き回した状態が、図９に示されている。抑止突片６１がＦＰＣ１０の係合用縁部１３の上面１３１に係合しているため、延長部１２がアクチュエータ５０に接近して開方向の外力を加えるのを防止している。このため、接続端部１１に設けられている接点パッドと導電端子４０のコンタクトの電気的な係合が損なわれることはなく、接続状態を安定に維持することができる。
【図面の簡単な説明】
【００２６】
【図１】この発明の実施形態のＦＰＣ用コネクタにＦＰＣを接続し且つアクチュエータを閉の状態とした斜視図である。
【図２】同じく平面図である。
【図３】同じく右側面図である。
【図４】同じく正面図である。
【図５】同じく底面図である。
【図６】図４のＡ−Ａ線に沿って示した拡大断面図である。
【図７】ＦＰＣを接続する前で且つアクチュエータを開の状態とした、実施形態のＦＰＣ用コネクタの斜視図である。
【図８】ＦＰＣを接続する前で且つアクチュエータを閉の状態とした、実施形態のＦＰＣ用コネクタの斜視図である。
【図９】接続したＦＰＣを引き回した状態を説明する拡大右側面図である。
【符号の説明】
【００２７】
１０          ＦＰＣ
１１          接続端部
１２          延長部
１３          係合用縁部
１３１        上面
２０          ＦＰＣ用コネクタ
３０          絶縁ハウジング
３１          ＦＰＣ受入空洞
３２          前端
３３          上側
３４          底面
３５          上側開放部
３６          前端開放部
３７          係止孔
４０          導電端子
４１          半田テイル
４２          コンタクト片
５０          アクチュエータ
５１          矢示
６０          抑止金具
６１          抑止突片
６２          装着片
６３          半田テイル
７０          半田フィレット
８０          取付基板
【図１】
2005135593.tif 000003
【図２】
2005135593.tif 000004
【図３】
2005135593.tif 000005
【図４】
2005135593.tif 000006
【図５】
2005135593.tif 000007
【図６】
2005135593.tif 000008
【図７】
2005135593.tif 000009
【図８】
2005135593.tif 000010
【図９】
2005135593.tif 000011